【事件の表示】
　商願２０１６−１４６１６６拒絶査定不服審判事件について，次のとおり審決する。
【結　論】
　本件審判の請求は，成り立たない。
【理　由】
第１　本願商標
　本願商標は，「光育毛」の文字を標準文字で表してなり，第１０類，第１１類及び第４４類に属する願書に記載のとおりの商品及び役務を指定商品及び指定役務として，平成２８年１２月２８日に登録出願されたものである。
　その後，指定商品及び指定役務については，原審における平成２９年１０月２日付け手続補正書により，第１０類「発毛・育毛を促進する医療用機械器具，頭部の血行を促進する医療用機械器具，脱毛治療に用いられる機械器具，医療用機械器具，業務用頭皮マッサージ器，家庭用頭皮マッサージ器，家庭用電気マッサージ器」，第１１類「ＬＥＤを用いた家庭用電気式育毛器，家庭用頭部血行促進機，家庭用電熱用品類，業務用発毛・育毛促進機械器具（医療用のものを除く。），業務用頭部血行促進機，美容院用又は理髪店用の機械器具（椅子を除く。）」及び第４４類「美容，理容，美容・理容に関する情報の提供，美容・理容に関する指導及び助言，かつら・入れ毛・つけ毛・ヘアエクステンション・頭飾品の選択又は装着に関する情報の提供，かつら・入れ毛・つけ毛・ヘアエクステンション・頭飾品の選択又は装着に関する指導及び助言，毛髪の診断，かつらの装着及びそれに伴う調髪，ヘアカット，ヘアスタイリング，ヘアカラーリング，育毛，発毛，増毛，植毛，育毛・増毛・植毛・発毛及び脱毛の予防に関する情報の提供，育毛・増毛・植毛・発毛及び脱毛の予防に関する指導及び助言，頭皮の健康に関する指導及び助言，健康管理に関する情報の提供，あん摩，頭皮のマッサージ，マッサージ，指圧，カイロプラクティック，きゅう，柔道整復，はり，医療情報の提供，健康診断，医療用機械器具の貸与，美容院又は理髪店用の機械器具の貸与」と補正されたものである。
第２　原査定の拒絶の理由（要点）
　原査定は，「本願商標は，『光育毛』の文字を標準文字で書してなるところ，当該商標は，指定商品及び指定役務との関係から，全体として『光を用いた育毛』等の意味合いを表わすものであり，また，近年，光（ＬＥＤ）を用いた育毛がサロンはもちろん，家庭でも『ＬＥＤ育毛器』として販売されていることなどから，本願商標をその指定商品中の『光（ＬＥＤ）を用いて育毛を促進する医療用機械器具，光（ＬＥＤ）を用いた家庭用電気式育毛器，光（ＬＥＤ）を用いた業務用育毛促進機械器具（医療用のものを除く。）』，又はその指定役務中の『光（ＬＥＤ）を用いた育毛，光（ＬＥＤ）を用いた育毛に関する情報の提供・指導及び助言』に使用した場合，これに接する需要者は，単に商品の品質（内容）又は提供する役務の質（内容）を普通に用いられる方法で表示したと認識するというべきであるから，本願商標は，商標法第３条第１項第３号に該当する。」旨認定，判断し，本願を拒絶したものである。
第３　当審において通知した審尋
　当審において，平成３１年４月９日付けで，本願商標が商標法第３条第１項第３号に該当する旨の見解を示す審尋を通知し，これに対する回答を求めた。
第４　審尋に対する請求人の回答（要旨）
　１　本願商標は，「光を用いた育毛」の意味合いが生じることは否定できないが，ほかに，「毛根に働きかけて，光輝くような毛髪の育毛をうながすこと」等の複数の意味合いが生じ得る語であり，指定商品及び指定役務との関係において，需要者及び取引者に商品の品質などを直接的かつ一義的に理解させることはなく，また，「光」は青色光，ＬＥＤ，近赤外光などの複数の意味合いを有しているため，「光を用いた育毛」からは，どのような光をどのようにして用いるのかが不明であり，漠然と広範な意味合いであることから，指定商品等との関係において，商品等が有する一定の品質を取引者，需要者に直ちに認識させない。
　２　過去の商標の登録事例（「光美白」，「光ドライヤー」，「光セラピー」，「光給電盤」，「光麗肌」）によれば，本願商標も登録されるべきである。
　３　「光育毛」の文字の育毛に関する業界における使用例（「ＬＥＤ光育毛」，「光育毛器」，「光育毛装置」，「光育毛ブラシ」）については，いずれの語も，国語辞典に収録されてはおらず，我が国において広く親しまれている施術・製品とはいえないため，それらの語に接した需要者・取引者が，どういった性質，機能などを有している施術・製品であるのかについては，直ちには理解できない。また，各使用例では，どのような光を利用した技術であるかの具体的な説明がされていることから，それらの技術・機能が特殊であり，補足説明がなければ需要者及び取引者に商品や役務の内容を理解されない分野であるといえる。したがって，たとえ一部に使用例が見受けられるとしても，それらのみをもってして，本願商標「光育毛」が，指定商品等の分野において，普通に用いられていると捉えるのは性急である。
第５　当審の判断
　１　商標法第３条第１項第３号該当性について
（１）本願商標について
　ア　本願商標は，上記第１のとおり，「光育毛」の文字を標準文字で表してなるところ，その構成中，「光」の文字については，「大辞林第３版」（株式会社三省堂発行）には，「目に明るい感じを起こさせるもの。物理的には光は電磁波で，普通目に感じる可視光線をさす。さらにそれに赤外線・紫外線を加えていうこともある。」との記載がある。加えて，「光」の語の用例として，「光通信」が「光（赤外線・紫外線を含む）を搬送波に利用する通信。」，「光ファイバー」が「光を用いて情報を伝達する際に，光の伝送路として用いるきわめて細いグラスファイバー。」をそれぞれ意味する旨の記載がある（前掲書）。
　イ　本願商標の構成中，「育毛」の文字については，「新明解国語辞典」（株式会社三省堂発行）には，「毛根に働きかけて，毛髪の発毛をうながすこと。」との記載がある。
　ウ　そうすると，本願商標は，よく知られた「光」と「育毛」の２語から構成されるものであり，上記アの「光」の語の用例からすれば，全体として，「光を用いた育毛」との意味合いが容易に理解されるものである。
（２）本願商標の指定商品及び指定役務について
　本願の指定商品及び指定役務は，上記第１のとおりであって，育毛に関連性の高い商品及び役務（例えば第１０類「発毛・育毛を促進する医療用機械器具，頭部の血行を促進する医療用機械器具，脱毛治療に用いられる機械器具，業務用頭皮マッサージ器，家庭用頭皮マッサージ器」，第１１類「ＬＥＤを用いた家庭用電気式育毛器，家庭用頭部血行促進機，業務用発毛・育毛促進機械器具（医療用のものを除く。），業務用頭部血行促進機，」，第４４類「毛髪の診断，育毛，発毛，増毛，植毛，育毛・増毛・植毛・発毛及び脱毛の予防に関する情報の提供，育毛・増毛・植毛・発毛及び脱毛の予防に関する指導及び助言，頭皮の健康に関する指導及び助言，頭皮のマッサージ」）及び当該商品又は役務を含む商品及び役務（例えば第１０類「医療用機械器具，家庭用電気マッサージ器」，第１１類「家庭用電熱用品類，美容院用又は理髪店用の機械器具（椅子を除く。）」，第４４類「美容，理容，美容・理容に関する情報の提供，美容・理容に関する指導及び助言，かつら・入れ毛・つけ毛・ヘアエクステンション・頭飾品の選択又は装着に関する情報の提供，かつら・入れ毛・つけ毛・ヘアエクステンション・頭飾品の選択又は装着に関する指導及び助言，かつらの装着及びそれに伴う調髪，ヘアカット，ヘアスタイリング，ヘアカラーリング，健康管理に関する情報の提供，あん摩，マッサージ，指圧，カイロプラクティック，きゅう，柔道整復，はり，医療情報の提供，健康診断，医療用機械器具の貸与，美容院又は理髪店用の機械器具の貸与」）である。
（３）光を用いた育毛に関する研究開発等の実情，及び育毛に関する業界における「光」及び「育毛」の文字の使用について
　当審における職権調査によれば，以下の事実が認められる。
　ア　育毛に関する業界においては，青色光又は赤色光等を用いた育毛（治療）方法が研究開発され，実際に，光を用いた育毛効果を有するとされる商品や，医院又は美容室において光を用いた育毛治療等を提供する役務が取引されている（別掲１〜３）。
　イ　「光育毛」の文字は，育毛に関する業界においては，例えば，「ＬＥＤ光育毛」（毛根に届く光を頭に当てることによる育毛施術），「光育毛器」（近赤外光を照射する光育毛器），「光育毛装置」（育毛用の光を正しく照射できているかを利用者が容易に判断できる光育毛装置），「光育毛ブラシ」（ＬＥＤを備えたヘアブラシ状の商品）のように，「光を用いた育毛」の意味合いを示す語として，普通に使用されている実情がある（別掲１（４），別掲１（６）ア・イ，別掲２（１））。
　ウ　「光」及び「育毛」の両文字は，育毛に関する業界においては，例えば，「青色光を当てる育毛治療は効果的だ」（別掲１（２）），「育毛サロンで使われている育毛効果の高い光です」（別掲２（２）），「光で育毛を促進するＬＥＤライトセラピー」（別掲３（２））などのように，「光を用いた育毛」に関する研究開発，商品，役務であることを示す際に，同時に使用されている実情がある（別掲１〜３）。
（４）以上からすると，本願商標は，これをその指定商品及び指定役務に使用したときは，取引者，需要者に対して，当該商品及び役務が光を用いて育毛（治療）するための商品ないしは役務であることを容易に理解，認識させるものであって，その商品の品質又は役務の質を表示したものとして理解させるにとどまり，自他商品及び自他役務の識別標識としては認識し得ないものというのが相当である。
　したがって，本願商標は，その商品の品質又は役務の質を普通に用いられる方法で表示する標章のみからなる商標であるから，商標法第３条第１項第３号に該当する。
　２　請求人の主張について
（１）請求人は，本願商標は，「光を用いた育毛」の意味合いが生じることは否定できないが，ほかに，「毛根に働きかけて，光輝くような毛髪の育毛をうながすこと」等の複数の意味合いが生じ得る語であり，指定商品及び指定役務との関係において，需要者及び取引者に商品の品質などを直接的かつ一義的に理解させることはなく，また，「光」は青色光，ＬＥＤ，近赤外光などの複数の意味合いを有しているため，「光を用いた育毛」からは，どのような光をどのようにして用いるのかが不明であり，漠然と広範な意味合いであることから，指定商品等との関係において，商品等が有する一定の品質を取引者，需要者に直ちに認識させない旨主張する。
　しかしながら，本願商標は，請求人も自認するとおり，その言語構成に照らし，「光を用いた育毛」の意味合いを容易に想起させるものであり，指定商品及び指定役務の取引者や需要者によって，上記の意味合いを表す語として認識されるものであったと認められることは，上記１認定のとおりであるから，請求人が主張するように「光」の語が複数の意味合いを有するとしても，そのことによって上記認定が左右されるものではない。
（２）請求人は，過去の商標の登録事例（「光美白」，「光ドライヤー」，「光セラピー」，「光給電盤」，「光麗肌」）によれば，本願商標も登録されるべきである旨主張する。
　しかしながら，商標が商標法第３条第１項第３号に該当するものであるか否かを判断するにあたっては，当該商標が，その指定商品及び指定役務との関係で，その商品の品質又は役務の質，その他の特性を表示記述するものとして取引に際し必要適切な表示であるか否かについての事情を総合考慮して，当該商標がその指定商品又は指定役務に使用された場合における，指定商品又は指定役務の取引者，需要者の認識を基準として判断すべきであるところ，請求人の挙げる事例は，いずれも，本願商標とは，その商標の構成や指定商品及び指定役務が相違するものであり，かかる事例についての判断は，本願商標の上記判断に影響を与えるものではない。
（３）請求人は，「光育毛」の文字の育毛に関する業界における使用例（「ＬＥＤ光育毛」，「光育毛器」，「光育毛装置」，「光育毛ブラシ」）については，いずれの語も，国語辞典に収録されてはおらず，我が国において広く親しまれている施術・製品とはいえないため，それらの語に接した需要者・取引者が，どういった性質，機能などを有している施術・製品であるのかについては，直ちには理解できない。また，各使用例では，どのような光を利用した技術であるかの具体的な説明がされていることから，それらの技術・機能が特殊であり，補足説明がなければ需要者及び取引者に商品や役務の内容を理解されない分野であるといえる。したがって，たとえ一部に使用例が見受けられるとしても，それらのみをもってして，本願商標「光育毛」が，指定商品等の分野において，普通に用いられていると捉えるのは性急である旨主張する。
　しかしながら，本願商標が商標法第３条第１項第３号に該当するというためには，本件審判の審決時において，本願商標がその指定商品又は指定役務との関係で商品の品質又は役務の質を表示記述するものとして取引に際し必要適切な表示であり，取引者，需要者によって本願商標がその指定商品又は指定役務に使用された場合に，将来を含め，商品の品質又は役務の質を表示したものと一般に認識されるものであれば足り，「光育毛」の文字は，その言語構成に照らし，「光を用いた育毛」の意味合いが自然に生じることからすると，上記使用例においても，「光育毛」の文字は，当該文字を用いた商品，役務が，「光を用いた育毛」に関する商品，役務であることを容易に理解させるものであって，その商品の品質又は役務の質を表示記述するものとして取引に際し必要適切な表示であるというべきであるから，請求人が主張するように，上記使用例における「ＬＥＤ光育毛」，「光育毛器」等の各語が，補足説明がなければ需要者及び取引者に商品や役務の技術的な内容を正確には理解されないと解したとしても，そのことをもって，本願商標の同号該当性が否定されるものではない。
　したがって，請求人の上記主張は，いずれも採用することができない。
　３　まとめ
　以上のとおり，本願商標は，商標法第３条第１項第３号に該当するものであるから，登録することができない。
　よって，結論のとおり審決する。